(57)【要約】【課題】簡易な構成ながら高い清掃効果で期待でき、しかもエアフィルタやフィルタ清掃装置の取り外しや分解メンテナンス等が容易に実施できる空気調和機を提供することを目的とする。【解決手段】エアフィルタ１４で捕集された塵埃を除去するフィルタ清掃装置３０が設けられた空気調和機１において、フィルタ清掃装置３０は、エアフィルタ１４の前面に沿い移動され、エアフィルタ１４で捕集された塵埃を除去、集塵する清掃ブラシ５０と、清掃ブラシ５０をエアフィルタ１４の前面に沿い移動させる移動手段３５とを備え、清掃ブラシ５０は、集塵時の移動方向に対してパイルが逆目方向に傾斜された傾斜パイルブラシ５２により構成され、傾斜パイルブラシ５２は、集塵方向への移動時にエアフィルタ１４の前面に接触される移動方向の下流側端部が可撓性を有する自由端５２Ａとされている。【選択図】図６
2010032170.tif 000002
【特許請求の範囲】
【請求項１】
空気吸い込み口と空気吹き出し口とを備えたキャビネット内の空気流路中にエアフィルタ、熱交換器、送風ファンが配設されるとともに、前記キャビネット内に前記エアフィルタで捕集された塵埃を除去するフィルタ清掃装置が設けられた空気調和機において、
前記フィルタ清掃装置は、前記エアフィルタの前面に沿って移動され、該エアフィルタで捕集された塵埃を除去、集塵する清掃ブラシと、該清掃ブラシを前記エアフィルタの前面に沿って相対移動させる移動手段とを備え、
前記清掃ブラシは、集塵時の移動方向に対してパイルが逆目方向に傾斜された傾斜パイルブラシにより構成され、
該傾斜パイルブラシは、集塵方向への移動時に前記エアフィルタの前面に接触される移動方向の下流側端部が可撓性を有する自由端とされていることを特徴とする空気調和機。
【請求項２】
前記傾斜パイルブラシは、集塵方向に移動される時の上流側がブラシ支持アームに支持され、集塵方向に移動される時、前記自由端側が前記エアフィルタの前面に対して傾斜された状態で圧接される構成とされていることを特徴とする請求項１に記載の空気調和機。
【請求項３】
前記傾斜パイルブラシは、前記エアフィルタの前面に対して少なくとも５°以上の傾斜角度で圧接されていることを特徴とする請求項２に記載の空気調和機。
【請求項４】
前記傾斜パイルブラシの自由端側には、その幅方向に沿って適宜間隔で錘が設けられていることを特徴とする請求項１ないし３のいずれかに記載の空気調和機。
【請求項５】
前記傾斜パイルブラシまたは前記ブラシ支持アームには、前記傾斜パイルブラシの自由端側の撓みをコントロールする規制部材が設けられていることを特徴とする請求項１ないし３のいずれかに記載の空気調和機。
【請求項６】
前記ブラシ支持アームは、前記移動手段に連結され前記エアフィルタの前面に沿って移動可能とされたブラシホルダー上に設けられ、該ブラシホルダーが前記移動手段に牽引されて傾斜されることにより前記傾斜パイルブラシが前記エアフィルタ前面に対して傾斜された状態で圧接される構成とされていることを特徴とする請求項２ないし５のいずれかに記載の空気調和機。
【請求項７】
前記ブラシホルダーには、その両側面に前記ブラシ支持アームが前記エアフィルタの幅方向に延長されて設けられ、該ブラシ支持アームにより前記傾斜パイルブラシが支持されていることを特徴とする請求項６に記載の空気調和機。
【請求項８】
前記ブラシ支持アームは、前記ブラシホルダーに着脱自在に設けられていることを特徴とする請求項６または７に記載の空気調和機。
【請求項９】
前記移動手段は、前記キャビネットの上面から前面にかけて設けられた前記空気吸い込み口に沿って上面から前面にかけて架設され、前記清掃ブラシを前記エアフィルタの前面に沿い上面から前面にかけて往復動自在に駆動する構成とされていることを特徴とする請求項１ないし８のいずれかに記載の空気調和機。
【請求項１０】
前記移動手段は、前記空気吸い込み口に沿って設けられた複数のローラおよびガイドを介して架設され、前記ローラの１つを駆動ローラとして往復動自在に駆動される紐またはベルト等からなる無端帯により構成されていることを特徴とする請求項９に記載の空気調和機。
【発明の詳細な説明】
【技術分野】
【０００１】
本発明は、エアフィルタによって捕集された塵埃を除去するフィルタ清掃装置を搭載した空気調和機に関するものである。
【背景技術】
【０００２】
空気調和機は、一般に空気吸い込み口と空気吹き出し口とを備えたキャビネット内の空気流路中にエアフィルタ、熱交換器、送風ファンを配設した構成とされ、空気中の塵埃をエアフィルタで除去した後、熱交換器、送風ファンに流通させるようにしている。こうした空気調和機において、近年、エアフィルタにより捕集した塵埃を自動的に除去、清掃するフィルタ自動清掃機構が標準的に装備されつつある。
【０００３】
かかるフィルタ自動清掃機構としては、様々な方式の清掃機構が採用されている。例えば、固定ブラシを備えた清掃ボックスを設け、該清掃ボックスにエアフィルタを通して塵埃を掻き取り、ボックス内に収集するようにしたもの（例えば、特許文献１参照）、あるいは固定ブラシをエアフィルタ表面に沿わせて移動させ、塵埃を掻き取って収集し、集塵ボックス内に回収するよう成したもの（例えば、特許文献２参照）、更には吸引ノズルをエアフィルタ表面に沿わせて移動させ、塵埃を吸引して除去し、吸引ファンを介して外部に排出するようにしたもの、回転ブラシによってエアフィルタ表面の塵埃を掻き取り、一方向に集塵するようにしたもの等々が知られている。
【０００４】
【特許文献１】特開２００６−７１２０６号公報
【特許文献２】特開２００８−５７８４６号公報
【発明の開示】
【発明が解決しようとする課題】
【０００５】
しかしながら、従来のフィルタ自動清掃機構は、概して構造が複雑で高コスト構造となっており、エアフィルタやフィルタ自動清掃機構を取り外して洗浄したり、故障時に分解してメンテナンスしたりすることが簡便にでき難くなっている。これは、酷いフィルタ汚れに対する清掃効果を高めようとせんがためである。
例えば、特許文献１のものでは、エアフィルタを挟んで上下にそれぞれ前後一対のブラシを設け、エアフィルタを往復動させることにより、往動時および復動時にそれぞれ上流側のブラシで掻き取った塵埃を下流側のブラシで塵埃回収部に掻き落すようにし、清掃効果を高めている。
【０００６】
また、特許文献２のものでは、エアフィルタ表面に接触されて往復動される清掃ブラシを設け、該清掃ブラシを往動時の端部でエアフィルタの外側まで移動させ、往動時に清掃ブラシで掻き取って塵埃を、除去ブラシおよび塵埃戻り防止ブラシを備えた除去回収手段により清掃ブラシから除去回収し、復動時に清掃ブラシにより塵埃がエアフィルタに再付着されないようにして清掃効果を高めている。
【０００７】
このように、従来のフィルタ自動清掃機構は、フィルタ清掃効果を高めるために、複雑な構成のブラシ機構や除去回収手段を採用しているため、これが高コスト構造の原因となるとともに、油汚れ等により汚れが酷く、エアフィルタやフィルタ自動清掃機構を取り外して洗浄したいと思っても簡単に取り外せない要因となっている。特に、油汚れ等が懸念される過酷な環境下で使用される場合、幾ら清掃効果の高いフィルタ自動清掃機構を用いたとしても、洗剤等を用いての定期的な洗浄は回避することができない。この点に鑑みると、フィルタ自動清掃機能を備えた上でエアフィルタや自動清掃機構の取り外しが何のストレスもなく実施できることは極めて有益である筈であるが、こうしたフィルタ自動清掃機構を搭載した空気調和機は未だ見当たらない。
【０００８】
本発明は、このような事情に鑑みてなされたものであって、簡易な構成ながら高い清掃効果で期待でき、しかもエアフィルタやフィルタ清掃装置の取り外しや分解メンテナンス等が容易に実施できる空気調和機を提供することを目的とする。
【課題を解決するための手段】
【０００９】
上記課題を解決するために、本発明の空気調和機は、以下の手段を採用する。
すなわち、本発明にかかる空気調和機は、空気吸い込み口と空気吹き出し口とを備えたキャビネット内の空気流路中にエアフィルタ、熱交換器、送風ファンが配設されるとともに、前記キャビネット内に前記エアフィルタで捕集された塵埃を除去するフィルタ清掃装置が設けられた空気調和機において、前記フィルタ清掃装置は、前記エアフィルタの前面に沿って移動され、該エアフィルタで捕集された塵埃を除去、集塵する清掃ブラシと、該清掃ブラシを前記エアフィルタの前面に沿って相対移動させる移動手段とを備え、前記清掃ブラシは、集塵時の移動方向に対してパイルが逆目方向に傾斜された傾斜パイルブラシにより構成され、該傾斜パイルブラシは、集塵方向への移動時に前記エアフィルタの前面に接触される移動方向の下流側端部が可撓性を有する自由端とされていることを特徴とする。
【００１０】
本発明によれば、エアフィルタで捕集された塵埃を除去、集塵する清掃ブラシが、集塵時の移動方向に対してパイルが逆目となる方向に傾斜された傾斜パイルブラシにより構成され、この傾斜パイルブラシの集塵方向への移動時にエアフィルタの前面に接触される移動方向の下流側端部が可撓性を有する自由端とされているため、フィルタ清掃時、傾斜パイルブラシの可撓性を有する自由端側がエアフィルタの前面に接触され、それが傾斜パイルの逆目方向に移動されることにより、エアフィルタで捕集された塵埃を掻き取って集塵することができる。この傾斜パイルブラシは、元々エチケットブラシ（登録商標：日本シール株式会社）用に開発されたものであり、エアフィルタ前面に接触される移動方向の下流側端部が可撓性を有する自由端とされていることから、エアフィルタ前面の凹凸に対して微妙にフィットされ、効率よく塵埃を掻き取ることができる。従って、傾斜パイルブラシで構成された清掃ブラシをエアフィルタ前面に接触させて移動するだけのシンプルな構成にも係わらず、エアフィルタで捕集された塵埃を効率よくかつ確実に除去、集塵することができ、エアフィルタの清掃効果を高めることができる。また、構成がシンプルなため、フィルタ自動清掃機能付きであっても、油汚れ等に対応したエアフィルタおよび清掃装置の取り外し洗浄や故障時の分解メンテナンス等をストレスなく実施することが可能となる。
【００１１】
さらに、本発明の空気調和機は、上記の空気調和機において、前記傾斜パイルブラシは、集塵方向に移動される時の上流側がブラシ支持アームに支持され、集塵方向に移動される時、前記自由端側が前記エアフィルタの前面に対して傾斜された状態で圧接される構成とされていることを特徴とする。
【００１２】
本発明によれば、傾斜パイルブラシの上流側がブラシ支持アームに支持され、集塵方向に移動される時、自由端側がエアフィルタの前面に対して傾斜された状態で圧接される構成とされているため、フィルタ清掃時、傾斜パイルブラシの自由端側を傾斜させた状態でエアフィルタ前面に軽く圧接し、その状態で傾斜パイルの逆目方向にブラシを移動させることにより塵埃を掻き取って除去、集塵することができる。これにより、エアフィルタ前面の凹凸に対して傾斜パイルブラシの自由端側をより微妙にフィット、追随させることができる。従って、エアフィルタで捕集された塵埃の除去、集塵効率を向上させ、エアフィルタの清掃効果を高めることができる。
【００１３】
さらに、本発明の空気調和機は、上記の空気調和機において、前記傾斜パイルブラシは、前記エアフィルタの前面に対して少なくとも５°以上の傾斜角度で圧接されていることを特徴とする。
【００１４】
本発明によれば、傾斜パイルブラシがエアフィルタの前面に対して少なくとも５°以上の傾斜角度で圧接されているため、エアフィルタ前面の凹凸に対して傾斜パイルブラシの自由端側をより微妙にフィット、追随させることが可能となる。これによって、エアフィルタで捕集された塵埃をより効率的に除去、集塵することができ、エアフィルタの清掃効果を一段と高めることができる。
【００１５】
さらに、本発明の空気調和機は、上述のいずれかの空気調和機において、前記傾斜パイルブラシの自由端側には、その幅方向に沿って適宜間隔で錘が設けられていることを特徴とする。
【００１６】
本発明によれば、傾斜パイルブラシの自由端側に、幅方向に沿って適宜の間隔で錘を設けているため、この錘の重さを利用して傾斜パイルブラシの自由端側をエアフィルタの前面に圧接させ、エアフィルタ前面の凹凸に対して微妙にフィット、追随させることができる。従って、エアフィルタで捕集された塵埃の除去、集塵効率を向上させ、エアフィルタの清掃効果を高めることができる。
【００１７】
さらに、本発明の空気調和機は、上述のいずれかの空気調和機において、前記傾斜パイルブラシまたは前記ブラシ支持アームには、前記傾斜パイルブラシの自由端側の撓みをコントロールする規制部材が設けられていることを特徴とする。
【００１８】
本発明によれば、傾斜パイルブラシまたはブラシ支持アームに傾斜パイルブラシの自由端側の撓みをコントロールする規制部材が設けられているため、規制部材により傾斜パイルブラシの自由端側の撓みをコントロールし、傾斜パイルブラシの自由端側をエアフィルタ前面に適度な力で圧接させることにより、エアフィルタ前面の凹凸に対し傾斜パイルブラシの自由端側を微妙にフィット、追随させ、塵埃を効率よくかつ確実に除去、集塵することができる。従って、エアフィルタで捕集された塵埃の除去、集塵効率を向上させ、エアフィルタの清掃効果を高めることができる。
【００１９】
さらに、本発明の空気調和機は、上述のいずれかの空気調和機において、前記ブラシ支持アームは、前記移動手段に連結され前記エアフィルタの前面に沿って移動可能とされたブラシホルダー上に設けられ、該ブラシホルダーが前記移動手段に牽引されて傾斜されることにより前記傾斜パイルブラシが前記エアフィルタ前面に対して傾斜された状態で圧接される構成とされていることを特徴とする。
【００２０】
本発明によれば、ブラシ支持アームがブラシホルダー上に設けられ、該ブラシホルダーが移動手段に牽引されて傾斜されることにより傾斜パイルブラシがエアフィルタ前面に対して傾斜された状態で圧接される構成とされているため、フィルタ清掃時、ブラシホルダーが移動手段に牽引されて移動されることにより、ブラシ支持アームに支持された傾斜パイルブラシがエアフィルタの前面に対し傾斜された状態で圧接される。これにより、傾斜パイルブラシの自由端とされた下流側端部がエアフィルタ前面の凹凸に対して微妙にフィット、追随され、効率よく塵埃を掻き取ることができる。従って、エアフィルタで捕集された塵埃を効率よくかつ確実に除去、集塵することができる清掃効果の高いシンプルな構成のフィルタ清掃装置とすることができる。
【００２１】
さらに、本発明にかかる空気調和機は、上記の空気調和機において、前記ブラシホルダーには、その両側面に前記ブラシ支持アームが前記エアフィルタの幅方向に延長されて設けられ、該ブラシ支持アームにより前記傾斜パイルブラシが支持されていることを特徴とする。
【００２２】
本発明によれば、ブラシホルダーの両側面にブラシ支持アームをエアフィルタの幅方向に延長させて設け、該ブラシ支持アームにより傾斜パイルブラシを支持しているため、幅広のエアフィルタに対しても、ブラシホルダーの両側面に設けられるブラシ支持アームの長さをエアフィルタの幅寸法に合わせて延長し、これで傾斜パイルブラシを支持することにより容易に対応することができる。従って、シンプルな構成を維持したまま、エアフィルタの寸法変更等にも簡易に対応することが可能な清掃効果の高いシンプルな構成のフィルタ清掃装置とすることができる。
【００２３】
さらに、本発明の空気調和機は、上述のいずれかの空気調和機において、前記ブラシ支持アームは、前記ブラシホルダーに着脱自在に設けられていることを特徴とする。
【００２４】
本発明によれば、ブラシ支持アームがブラシホルダーに対し着脱自在に設けられているため、ブラシ支持アームをブラシホルダーから取り外すことによって、傾斜パイルブラシおよびエアフィルタを簡単にキャビネットから取り出すことができる。従って、酷い油汚れ等に対応したエアフィルタおよび清掃装置の取り外し洗浄や故障時の分解メンテナンスあるいは清掃ブラシ（傾斜パイルブラシ）の交換等を容易化することができる。
【００２５】
さらに、本発明の空気調和機は、上述のいずれかの空気調和機において、前記移動手段は、前記キャビネットの上面から前面にかけて設けられた前記空気吸い込み口に沿って上面から前面にかけて架設され、前記清掃ブラシを前記エアフィルタの前面に沿い上面から前面にかけて往復動自在に駆動する構成とされていることを特徴とする。
【００２６】
本発明によれば、移動手段がキャビネットの上面から前面にかけて設けられた空気吸い込み口に沿って上面から前面にかけて架設され、清掃ブラシをエアフィルタの前面に沿い上面から前面にかけて往復動自在に駆動する構成とされているため、エアフィルタが空気吸い込み口に沿って上面から前面にかけて屈曲または湾曲された構成のエアフィルタとされていても、清掃ブラシ（傾斜パイルブラシ）を常に直線上でエアフィルタの前面と接触させることができる。従って、清掃ブラシ（傾斜パイルブラシ）をエアフィルタ前面に対して安定的に接触させることができ、エアフィルタで捕集された塵埃の除去、集塵効率を向上させ、エアフィルタの清掃効果を高めることができる。
【００２７】
さらに、本発明の空気調和機は、上記の空気調和機において、前記移動手段は、前記空気吸い込み口に沿って設けられた複数のローラおよびガイドを介して架設され、前記ローラの１つを駆動ローラとして往復動自在に駆動される紐またはベルト等からなる無端帯により構成されていることを特徴とする。
【００２８】
本発明によれば、移動手段が空気吸い込み口に沿って設けられた複数のローラおよびガイドを介して架設され、複数のローラの１つを駆動ローラとして往復動自在に駆動される紐またはベルト等からなる無端帯により構成されているため、フィルタ清掃装置の移動手段を安定的に動作され、故障等も少ないローラおよび無端帯を用いた、有り触れたシンプルな構造の移動手段によって構成することができる。従って、酷い油汚れ等に対応したエアフィルタおよび清掃装置の取り外し洗浄や故障時の分解メンテナンス等を容易化することができる。
【発明の効果】
【００２９】
本発明によると、フィルタ清掃時、傾斜パイルブラシの可撓性を有する自由端側がエアフィルタの前面に接触され、それが傾斜パイルの逆目方向に移動されることにより、エアフィルタで捕集された塵埃を掻き取って集塵することができる。この傾斜パイルブラシはエアフィルタ前面に接触される移動方向の下流側端部が可撓性を有する自由端とされていることから、エアフィルタ前面の凹凸に対して微妙にフィットされ、効率よく塵埃を掻き取ることができるため、傾斜パイルブラシで構成された清掃ブラシをエアフィルタ前面に接触させて移動するだけのシンプルな構成にも係わらず、エアフィルタで捕集された塵埃を効率よくかつ確実に除去、集塵することができ、エアフィルタの清掃効果を高めることができる。また、構成がシンプルなため、フィルタ自動清掃機能付きであっても、油汚れ等に対応したエアフィルタおよび清掃装置の取り外し洗浄や故障時の分解メンテナンス等をストレスなく実施することが可能となる。
【発明を実施するための最良の形態】
【００３０】
以下に、本発明にかかる実施形態について、図面を参照して説明する。
［第１実施形態］
以下、本発明の第１実施形態について、図１ないし図１１を用いて説明する。
図１には、本発明の第１実施形態に係るセパレート形空気調和機の斜視図が示され、図２には、その室内機の縦断面図が示されている。
空気調和機１は、図１に示されるように、据え付け板２を介して室内の壁面等に据え付けられる室内機３と、屋外に据え付けられる室外機４と、室内機３と室外機４とを接続する冷媒配管５と、空気調和機１を運転操作するリモコン６等とから構成されている。
【００３１】
室内機３は、図２に示されるように、ベース板８と、ベース板８に着脱自在に組み付けられた前面パネル９と、該前面パネル９にその上面から前面にかけて組み付けられた開閉可能な吸い込みパネル１０等とから構成されるキャビネット７を備えている。キャビネット７の内部には、吸い込みパネル１０に設けられた空気吸い込み口１１から前面パネル９に設けられた空気吹き出し口１２に至る空気流路１３が形成されている。この空気流路１３中には、吸い込みパネル１０の背後にエアフィルタ１４が配設されており、その下流側に横長のプレートフィンチューブ形の室内熱交換器１５がΛ状に曲げ配設され、更に室内熱交換器１５の下流側に水平方向に室内ファン（クロスフローファン）１６が配設された構成とされている。
【００３２】
室内ファン１６は、室内から空気吸い込み口１１、エアフィルタ１４を通して吸い込んだ空気を、室内熱交換器１５に流通させて温調した後、空気吹き出し口１２から室内に吹き出すことによって、室内空気を室内機３に循環する機能を担っている。空気吹き出し口１２には、空気の吹き出し方向を左右方向に変更する複数枚のルーバ１７と、上下方向に変更する上下２枚のフラップ１８とがそれぞれ回動可能に設けられ、吹き出し空気の方向を任意の方向に調整できるように構成されている。
【００３３】
なお、ベース板８には、室内熱交換器１５から滴下されるドレン水を受ける背面側ドレンパン１９が一体に設けられている。また、キャビネット７内には、室内ファン１６の吹き出し側の空気流路１３を形成するスタビライザ２０が設置されており、該スタビライザ２０にも、室内熱交換器１５から滴下されるドレン水を受ける前面側ドレンパン２１が一体に設けられている。
【００３４】
エアフィルタ１４は、室内から室内機３内に吸い込まれた空気中の塵埃を捕集し、清浄化した空気を室内熱交換器１５および室内ファン１６に導くためのもので、空気吸い込み口１１の全域をカバーするように吸い込みパネル１０の背後に上面から前面にかけ湾曲された状態で設置されている。エアフィルタ１４は、図３に示されるように、空気を濾過する網目部１４Ａと、その周囲に設けられた外枠部１４Ｂと、該外枠部１４Ｂの間に適宜設けられた仕切り部１４Ｃとを備えた一体成形品であり、室内機３の幅方向に左右２枚のエアフィルタ１４が並設され、それぞれ前面パネル９に対して着脱自在に設置されている。このエアフィルタ１４の前面側には、エアフィルタ１４によって捕集された塵埃を自動的に除去する後述のフィルタ清掃装置３０が設けられている。
【００３５】
室外機４は、キャビネット２２を備えており、その内部には、圧縮機、四方切換弁、室外熱交換器、室外ファン、および室外機コントローラ等々の室外側機器が公知の如く収容設置されている。この室外機４側の圧縮機、四方切換弁および室外熱交換器が、室内機３側の室内熱交換器１５と冷媒配管５を介して接続されることにより、冷凍サイクルが構成され、室外機４側で調整された高温高圧のガス冷媒または凝縮液化された低圧液冷媒を室内機３側の室内熱交換器１５に供給可能とされている。この冷媒と室内ファン１６を介して循環される室内空気とが熱交換され、室内空気が加熱または冷却されて室内に吹き出されることによって、暖房または冷房に供されるようになっている。
【００３６】
フィルタ清掃装置３０の構成が図３ないし図１１に詳細に示されている。以下、図３ないし図１１に基づいて、フィルタ清掃装置３０の構成を詳しく説明する。
フィルタ清掃装置３０は、室内機３の幅方向に並設された左右２枚のエアフィルタ１４の間に、上面から前面にかけ湾曲されて架設された断面がＴ字形状のガイドレール３１を備えている。ガイドレール３１は、図２，３に示されるように、エアフィルタ１４の前面に沿うように所定間隔を置いて前面パネル９に対して固定設置されている。
【００３７】
ガイドレール３１には、横辺からなるレール部３１Ａにスライド可能に介装され、エアフィルタ１４の前面に沿い往復動自在とされたブラシホルダー３２が設けられている。ブラシホルダー３２は、図５（Ａ）に示されるように、ガイドレール３１のレール部３１Ａを跨ぐコの字断面形状を有する滑動体であり、その両側面３２Ａ，３２Ｂに一対のガイド３３が設けられ、該ガイド３３と、両側面３２Ａ，３２Ｂを繋ぐ中間面３２Ｃに設けられたレール部３１Ａに押圧される板バネ（弾性部材）３４とによってレール部３１Ａを挟み込むように介装されている。このブラシホルダー３２は、レール部３１Ａに押圧される板バネ３４とレール部３１Ａとの接触点を支点に後述の如く回動可能とされている。
【００３８】
また、ガイドレール３１の縦辺部３１Ｂには、図７に示されるように、ブラシホルダー３２をエアフィルタ１４の前面に沿って移動する移動手段３５が設けられている。移動手段３５は、レール部３１Ａに沿って縦辺部３１Ｂに設けられた複数個のローラ３６と、レール部３１Ａの湾曲部に沿って設けられたガイド３７とを介して架設された引っ張りおよび耐摩耗性に優れた紐状の無端帯３８を備えている。この無端帯３８は、複数個のローラの１つを大径化して構成した駆動ローラ３９と、歯車４０，４１を介して駆動ローラ３９を駆動する可逆回転可能なモータ４２とからなる駆動手段によって往復動自在に架設されている。なお、無端帯３８は、紐に替えて溝付もしくは歯付ベルト等を用いて構成してもよい。
【００３９】
上記無端帯３８に対して、図５（Ｂ），（Ｃ）に示されるように、ブラシホルダー３２がガイド３３の下方に設定されている連結点４３で無端帯３８に連結されている。これによって、無端帯３８の正逆回転駆動に伴いブラシホルダー３２がガイドレール３１に沿って往復動される構成とされている。また、ブラシホルダー３２は、無端帯３８の往動に伴う矢印Ｓ方向への牽引により、板バネ３４とレール部３１Ａとの接触点を支点として矢印Ｒ方向に回動可能とされ、無端帯３８の復動に伴う矢印Ｔ方向への牽引により、板バネ３４とレール部３１Ａとの接触点を支点として矢印Ｌ方向に回動可能とされている。この無端帯３８の適所には、図７（Ｂ）に示されるように、ブラシホルダー３２を牽引することによって生じる弛みや応力を吸収するためのスプリング４４がセットされている。
【００４０】
ブラシホルダー３２は、移動手段３５のモータ４２を正逆回転することにより、ガイドレール３１に沿ってその上面側の一端から前面側の他端にかけて往復動されるが、その際の移動開始点と終端位置とを設定するために、それぞれのストロークエンドに対応してスイッチ４５，４６（図７（Ａ）参照）が設けられている。なお、ブラシホルダー３２が終端位置から移動開始点に戻るリターン時は、動作抵抗が小さく、トラブルの可能性が少ないことから、タイマーを用いて位置を確認するようにしてもよく、この場合、スイッチ４６を省略することができる。
【００４１】
また、ブラシホルダー３２には、その両側面３２Ａ，３２Ｂにエアフィルタ１４の幅方向に延長された左右一対の清掃ブラシ５０が設けられている。清掃ブラシ５０は、エアフィルタ１４の前面に沿って移動され、エアフィルタ１４で捕集された塵埃を掻き取って除去、集塵するためのものであり、エアフィルタ１４の幅方向に沿って延長された細長いブラシ支持アーム５１と、このブラシ支持アーム５１に接着により取り付けられた傾斜パイルブラシ５２とから構成されている。この清掃ブラシ５０は、ブラシ支持アーム５１がブラシホルダー３２に一体に組み付けられることによって、ブラシホルダー３２と共にエアフィルタ１４の前面に沿って移動されるように構成されている。
【００４２】
傾斜パイルブラシ５２は、パイルを傾斜させて設けた傾斜パイルあるいは傾斜ブラシ等とも呼ばれているもので、元々エチケットブラシ（登録商標：日本シール株式会社）用として開発されたブラシ素材であり、傾斜されたパイルの逆目方向にブラシを動かすことによって、繊維系のゴミ等を効率よく除去できることが知られている。本実施形態では、図６に示されるように、この傾斜パイルブラシ５２を、エアフィルタ１４で捕集された塵埃を集塵する際のブラシ移動方向（往動方向Ｘ）に対して、パイルが逆目方向に傾斜されるようにブラシ支持アーム５１に取り付けた構成としている。
【００４３】
また、傾斜パイルブラシ５２は、上記したように、ブラシ支持アーム５１に対してブラシ往動方向Ｘの上流側端部が接着により取り付けられているが、ブラシ往動方向Ｘの下流側端部の所定の寸法Ｇ分は自由端５２Ａとされている。この自由端５２Ａは、可撓性を有しており、エアフィルタ１４の前面に対して接触された際、その凹凸面に対して微妙にフィット、追随されるように構成されている。このように、傾斜パイルブラシ５２の自由端５２Ａをエアフィルタ１４の凹凸面に対して微妙にフィット、追随させるには、自由端５２Ａの端部に、図６（Ｃ）に示されるように、幅方向に沿って適宜間隔で錘５３を設けることが好ましい。
【００４４】
さらに、傾斜パイルブラシ５２は、ブラシホルダー３２が塵埃を集塵する方向、すなわち清掃ブラシ５０が移動開始点から往動方向Ｘに移動のため、無端帯３８により矢印Ｓ方向（図５（Ｂ）参照）に牽引されたとき、ブラシホルダー３２が矢印Ｒ方向に回動される結果、その自由端５２Ａ側が、図６（Ａ）に示されるように、エアフィルタ１４の前面に対して少なくとも５°以上の傾斜角度Θで圧接されるように構成されている。同様に、清掃ブラシ５０が終端位置から移動開始点に向って復動方向Ｙに移動のため、ブラシホルダー３２が無端帯３８によって矢印Ｔ方向（図５（Ｃ）参照）に牽引され、矢印Ｌ方向に回動されると、傾斜パイルブラシ５２（自由端５２Ａを含む）は、図６（Ｂ）に示されるように、エアフィルタ１４の前面から距離Ｈだけ離間された状態となり、その状態を維持して移動開始点まで移動されるように構成されている。
【００４５】
傾斜パイルブラシ５２を支持するブラシ支持アーム５１の先端（自由端）には、図３に示されるように、傾斜パイルブラシ５２の支持部から外方に突出された舌片５１Ａが設けられている。この舌片５１Ａは、左右２枚のエアフィルタ１４の両側に沿うように前面パネル９に設けられているブラシ押圧レール５４に係合されている。ブラシ押圧レール５４は、断面がＬ字形状をなすレールであり、舌片５１Ａがその一辺の裏面側に摺接されて移動されるようになっている。これにより、ブラシ支持アーム５１の先端を押圧してその浮き上がりを防止し、傾斜パイルブラシ５２がエアフィルタ１４の前面に均一に圧接される状態を維持できるように構成されている。
【００４６】
なお、舌片５１Ａがブラシ押圧レール５４の裏面側を摺接移動されるのは、傾斜パイルブラシ５２によりエアフィルタ１４に捕集された塵埃を集塵する往動方向Ｘへの移動時のみであり、復動方向Ｙへの移動時、舌片５１Ａはブラシ押圧レール５４の一辺の表面側を移動され、傾斜パイルブラシ５２と共にエアフィルタ１４の前面から少なくとも距離Ｈだけ離間されて移動されるようになっている。また、ブラシ押圧レール５４の移動開始端側の端部には、傾斜ガイド面５４Ａが設けられ、当該端部において舌片５１Ａをブラシ押圧レール５４の一辺の裏面側位置にガイドできるように構成されている。
【００４７】
清掃ブラシ５０の集塵方向への移動終端位置には、図８に示されるように、エアフィルタ１４上から集塵した塵埃を収集する集塵部６０が設けられている。集塵部６０は、前面パネル９の前面側の下方部に配設されており、集塵した塵埃を一時的に貯留できる容積を有する集塵ボックス６１を備えている。集塵ボックス６１は、エアフィルタ１４の前面側の下端部にその外枠部１４Ｂに連接されて設けられ、内部に清掃ブラシ５０が進入可能とされている。
【００４８】
つまり、清掃ブラシ５０が、移動手段３５に連結されているブラシホルダー３２と共にエアフィルタ１４の前面下端部よりも下方まで移動されると、図９（Ａ），（Ｂ）に示されるように、清掃ブラシ５０のブラシ支持アーム５１に設けられているガイド５１Ｂが、集塵ボックス６１の蓋部材６２を押し開くことによって、清掃ブラシ５０がそのまま集塵ボックス６１内に進入できるように構成されている。
【００４９】
なお、ブラシ支持アーム５１に設けられるガイド５１Ｂは、支持ピン５１Ｃを中心にブラシ支持アーム５１に対して屈曲可能な構成とすることができる。これは、清掃ブラシ５０が移動開始点から終端位置までの間を往復動される間の経路において、ガイド５１Ｂを屈曲させた状態で往復動させることにより、ガイド５１Ｂが他の部材等と干渉するのを回避し、移動経路用のスペースを可能な限り狭くする上で有効なためである。
【００５０】
集塵ボックス６１の蓋部材６２は、図９（Ａ）に示されるように、集塵ボックス６１の入り口部に支軸６３を中心に回動自在に設けられており、板バネ６４によって常に入り口部を閉じる方向に付勢された状態とされている。この蓋部材６２は、入り口側の端部に清掃ブラシ５０側のガイド５１Ｂが係合され、ガイド５１Ｂがそのまま下方に移動されることにより、図９（Ｂ）に示されるように、板バネ６４の付勢力に抗して押し開かれ、エアフィルタ１４の外枠部１４Ｂに接するように構成されている。
【００５１】
蓋部材６２の内面側には、板バネ６４による付勢力により清掃ブラシ５０側の傾斜パイルブラシ５２に接触され、清掃ブラシ５０が集塵ボックス６１内から復動方向Ｙにリターンされるとき、傾斜パイルブラシ５２に付着されている塵埃を掻き取る離脱ブラシ６５が設けられている。この離脱ブラシ６５は、図９（Ｃ）に示されるように、清掃ブラシ５０が復動方向Ｙにリターンされるときの方向に対してパイルが逆目方向に傾斜されている傾斜パイルブラシ６６により構成されている。
【００５２】
なお、清掃ブラシ５０は、エアフィルタ１４から掻き取った塵埃が離脱ブラシ６５によって確実に離脱されるようにするため、その先端部（傾斜パイルブラシ５２の自由端５２Ａ）を少なくとも離脱ブラシ６５の先端部（図９（Ｂ）に示す状態での上端部）よりも下方位置まで移動させる必要がある。この時、塵埃の離脱効果を高めるため、清掃ブラシ５０を離脱ブラシ６５に接触させた状態で数回上下動させるように構成してもよい。
【００５３】
また、集塵ボックス６１内に回収された塵埃は、集塵ボックス６１を取り外すことにより処理する構成としてもよいが、図１０に示されるように、集塵ボックス６１の前面側の面に開口６７を設け、この開口６７に掃除機の吸引口６８を当てることにより、掃除機で吸い取り可能な構成とすることができる。また、集塵ボックス６１の前面側に、図１１に示されるように、開閉蓋６９を設け、この開閉蓋６９を開けて前面側からハンドブラシ等を使用して掻き出し可能な構成としてもよい。更に、開閉蓋６９に開口６７を設けた構成とすることも可能である。
【００５４】
上記の開口６７や開閉蓋６９は、集塵ボックス６１の前面側であって、キャビネット７の外側に面して設けられ、吸い込みパネル１０を開放することにより、前面側に露出させることができる構成とされている。なお、開口６７は、通常の運転、停止状態やフィルタ自動清掃時において、集塵ボックス６１内に収集された塵埃が飛散することがなく、掃除機による吸引時において、塵埃を集塵ボックス６１内から吸い取り可能なサイズに設定する必要があり、開口６７の１個当たりの面積を概ね１ｃｍ２以内に設定することで、その機能を達成することができる。
【００５５】
さらに、本実施形態においては、上述したフィルタ清掃装置３０を構成するガイドレール３１、ブラシホルダー３２、無端帯３８やモータ４２等の駆動手段を含む移動手段３５を構成する全ての機構、清掃ブラシ５０、および集塵部６０等の全ての構成部品および機構を一括して前面パネル９に組み込んだ構成としている。
【００５６】
以上に説明の構成により、本実施形態によれば、以下の作用効果を奏する。
空気調和機１の運転により、室内ファン（クロスフローファン）１６を介して吸い込み口１１からキャビネット７内に吸い込まれた室内空気は、空気流路１３中をエアフィルタ１４、室内熱交換器１５を経て流通される間に室内熱交換器１５において冷却または加熱される。この冷却または加熱された空気が、室内ファン１６を介して吹き出し口１２から室内へと吹き出されることによって、室内の冷房または暖房に供される。この間、室内から吸い込まれた空気中に含まれていた塵埃は、エアフィルタ１４によって捕集され、清浄化された空気が室内へと吹き出される。
【００５７】
エアフィルタ１４によって捕集された塵埃が、時間の経過に伴いフィルタ面に蓄積されて行くと、空気の流通抵抗が増大し、その圧損によって室内ファン１６の動力が増加されるため、空気調和機１の運転効率が低下する。そこで、例えば、空気調和機１の運転終了時毎、あるいは空気調和機１の累積運転時間が設定時間に達したときの運転終了時毎のタイミングで、フィルタ清掃装置３０を作動させ、エアフィルタ１４に堆積している塵埃を自動的に除去することにより、エアフィルタ１４の頻繁な取り外し洗浄を省略できるようにしている。
【００５８】
フィルタ清掃装置３０によるエアフィルタ１４の自動清掃は、モータ４２を駆動し、移動手段３５を構成する無端帯３８を介してブラシホルダー３２をガイドレール３１に沿って往復動させることによって実行される。ブラシホルダー３２が無端帯３８により矢印Ｓ方向（図５（Ｂ）参照）に牽引されて移動開始点から塵埃を除去、集塵する往動方向Ｘに移動されると、ブラシホルダー３２は、図５（Ｂ）に示されるように、板バネ３４とレール部３１Ａとの接触点を支点として矢印Ｒ方向に回動される。
【００５９】
これによって、ブラシホルダー３２に支持されている清掃ブラシ５０を構成する傾斜パイルブラシ５２の自由端５２Ａ側が、図６（Ａ）に示されるように、少なくとも５°以上の傾斜角度Θでエアフィルタ１４の前面に逆目状態で圧接される。この状態で清掃ブラシ５０がエアフィルタ１４の前面に沿って往動されると、傾斜パイルブラシ５２の可撓性を有する自由端５２Ａ側が、錘５３の作用によりエアフィルタ１４の前面の凹凸に対して微妙にフィット、追随されながら移動し、エアフィルタ１４の前面に堆積されている塵埃を掻き取って、清掃ブラシ５０の往動方向Ｘへと集塵して行く。
【００６０】
このようにして、清掃ブラシ５０が移動開始点から終端位置まで往動方向Ｘに移動される間、ブラシ支持アーム５１の先端に設けられている舌片５１Ａは、ブラシ押圧レール５４の裏面側に摺接されて移動されることとなる。このため、ブラシ支持アーム５１の先端側の浮き上がりを防止することができ、傾斜パイルブラシ５２は、エアフィルタ１４の前面に対してその全幅にわたり均一に圧接される。そして、この状態を維持しながら、清掃ブラシ５０を終端位置まで移動させることができる。
【００６１】
清掃ブラシ５０は、上記のように、エアフィルタ１４の前面に全幅にわたり均一に圧接された状態で、その上面側から前面側にかけて常に直線上でエアフィルタ１４の前面と接触されながら移動され、その間にエアフィルタ面に堆積している塵埃を掻き取って、エアフィルタ１４の前面側の下端部へと集塵し、エアフィルタ１４の前面を塵埃が残存しないように効率よくかつ確実に清掃する。傾斜パイルブラシ５２による清掃効果、すなわち塵埃の除去、集塵性能は、エチケットブラシ（登録商標：日本シール株式会社）等によって立証されている通りであり、十分高い清掃効果を得ることができる。
【００６２】
ブラシホルダー３２が、移動手段３５によりガイドレール３１に沿ってエアフィルタ１４の前面側の下端部よりも下方の終端位置まで移動されると、スイッチ４６に当接して移動手段３５が停止される。この状態で清掃ブラシ５０は、図９に示されるように、エアフィルタ１４の下端部に連接されて設置されている集塵部６０の集塵ボックス６１内部まで進入される。これにより、清掃ブラシ５０によって集塵された塵埃は、集塵ボックス６１内に収集されることになる。
【００６３】
清掃ブラシ５０は、集塵ボックス６１内に進入する際、ブラシ支持アーム５１に設けられているガイド５１Ｂが集塵ボックス６１の蓋部材６２と係合し、蓋部材６２を板バネ６４の付勢力に抗して押し開き（図９（Ａ）参照）、蓋部材６２の内面に設けられている離脱ブラシ６５と接触しながら内部へと進入する。この時、一部の塵埃は、集塵ボックス６１内に落下されるが、その大部分は、離脱ブラシ６５が傾斜パイルブラシ５２に対して順目方向のため、傾斜パイルブラシ５２に付着されたまま、傾斜パイルブラシ５２に共に集塵ボックス６１内に導かれることになる（図９（Ｂ）参照）。
【００６４】
清掃ブラシ５０が終端位置まで移動されると、ブラシ支持アーム５１の先端に設けられている舌片５１Ａのブラシ押圧レール５４の裏面への摺接が解かれるため、舌片５１Ａはブラシ押圧レール５４の表面側に移動可能な状態とされる。その後、ブラシホルダー３２は、移動手段３５により復動方向Ｙにリターンされるが、このリターン時、ブラシホルダー３２は、無端帯３８により矢印Ｔ方向（図５（Ｃ）参照）に牽引される。この際、ブラシホルダー３２は、清掃ブラシ５０の舌片５１Ａにより拘束されることなく矢印Ｌ方向に回動される。これによって、傾斜パイルブラシ５２は、図９（Ｂ）に示されるように、エアフィルタ１４の前面から離間されるが、離脱ブラシ６５は、板バネ６２の作用により傾斜パイルブラシ５２の動きに追随されるため、図９（Ｂ）に示されるように、傾斜パイルブラシ５２と接触された状態を維持する。
【００６５】
この状態から清掃ブラシ５０（傾斜パイルブラシ５２）は、移動開始点に向い復動方向Ｙに移動開始される。この際、離脱ブラシ６５を構成する傾斜パイルブラシ６６は、清掃ブラシ５０に対して逆目の状態で接触されるため、清掃ブラシ５０側の傾斜パイルブラシ５２に付着されていた塵埃は、傾斜パイルブラシ６６により全て掻き取られ、集塵ボックス６１内に落下される。これによって、清掃ブラシ５０により集塵された全ての塵埃が集塵ボックス６１内に回収されることになる（図９（Ｃ）参照）。
【００６６】
清掃ブラシ５０は、移動終端位置から移動開始点に戻るリターン時、ブラシホルダー３２が無端帯３８により矢印Ｔ方向（図５（Ｃ）参照）に牽引され、矢印Ｌ方向に回動された状態で移動されるため、図６（Ｂ）に示されるように、傾斜パイルブラシ５２がエアフィルタ１４の前面から距離Ｈだけ離間された状態で復動方向Ｙに移動される。従って、仮に傾斜パイルブラシ５２に塵埃が残留されていたとしても、それがエアフィルタ１４に再付着されることはなく、清掃ブラシ５０による清掃効果を高めることができる。
【００６７】
移動開始点にリターンされたフィルタ清掃装置３０は、ブラシホルダー３２がスイッチ４５に当接されることによって停止され、ブラシ支持アーム５１の舌片５１Ａが、ブラシ押圧レール５４の傾斜ガイド面５４Ａにより、ブラシ押圧レール５４の一辺の裏面に摺接される位置へとガイドされた状態で、次回の作動時まで待機されることになる。
【００６８】
一方、上記の清掃作用により、集塵ボックス６１内に収集された塵埃は、定期的に吸い込みパネル１０を開き、室内機３の前面側から集塵ボックス６１にアクセスし、集塵ボックス６１に設けられている開口６７から掃除機を用いて吸い取るか、あるいは集塵ボックス６１に設けられている開閉蓋６９を開け、ハンドブラシ等を用いて掻き出すことによって、適宜処理することができる。
【００６９】
また、フィルタ清掃装置３０を構成する全部品、機構が、前面パネル９に組み込まれているため、油汚れ等が懸念される過酷な環境下で使用され、エアフィルタ１４やフィルタ清掃装置３０に汚れが酷くなった場合でも、室内機３から前面パネル９を取り外すことによって、エアフィルタ１４、フィルタ清掃装置３０を一括して取り出すことができる。しかも、フィルタ清掃装置３０の構成自体が簡素なため、分解洗浄等を容易に行うことができる。さらに、吸い込みパネル１０を開くことによって、エアフィルタ１４のみを簡単に取り出すことができるため、自動清掃装置付きでありながら、エアフィルタ単体での取り出し洗浄も簡易に行うことができる。
【００７０】
しかして、本実施形態によれば、傾斜パイルブラシ５２で構成された清掃ブラシ５０をエアフィルタ１４の前面に圧接させ移動するだけのシンプルな構成にも係わらず、傾斜パイルブラシ５２の可撓性を有する自由端５２Ａをエアフィルタ１４の前面に圧接させ、傾斜パイルの逆目方向にブラシを移動させて塵埃を掻き取るようにしているため、エアフィルタ１４に捕集された塵埃を効率よくかつ確実に除去、集塵することができ、高い清掃効果を得ることができる。
【００７１】
特に、傾斜パイルブラシ５２の自由端５２Ａ側を少なくとも５°以上の傾斜角度に傾斜させてエアフィルタ１４の前面に軽く圧接し、その状態で傾斜パイルの逆目方向にブラシを移動させ、塵埃を掻き取って除去、集塵するようにしているため、エアフィルタ１４の前面の凹凸面に対して傾斜パイルブラシ５２の自由端５２Ａ側を微妙にフィット、追随させることができ、これによって、エアフィルタ１４で捕集された塵埃の除去、集塵効率を向上させ、エアフィルタ１４の清掃効果を高めることができる。
【００７２】
また、傾斜パイルブラシ５２の自由端２５Ａ側に、幅方向に沿って適宜の間隔で錘５３を設けることにより、その重さを利用して傾斜パイルブラシ５２の自由端５２Ａをエアフィルタ１４の前面の凹凸に対してより微妙にフィット、追随させることができるようにしているため、塵埃の除去、集塵効率を更に向上させ、エアフィルタの清掃効果を一段と高めることができる。
【００７３】
上記傾斜パイルブラシ５２をブラシ支持アーム５１により支持し、このブラシ支持アーム５１をブラシホルダー３２上に設け、フィルタ清掃時、ブラシホルダー３２が移動手段３５に牽引されて移動されることにより、ブラシ支持アーム５１に支持された傾斜パイルブラシ５２がエアフィルタ１４の前面に対し傾斜された状態で圧接されるようにしているため、傾斜パイルブラシ５２の自由端５２Ａとされた下流側端部がエアフィルタ１４の前面の凹凸に対して微妙にフィット、追随され、効率よく塵埃を掻き取ることができる。従って、エアフィルタ１４で捕集された塵埃を効率よくかつ確実に除去、集塵することができる清掃効果の高いシンプルな構成のフィルタ清掃装置３０とすることができる。
【００７４】
さらに、ブラシホルダー３２の両側面にブラシ支持アーム５１をエアフィルタ１４の幅方向に延長させて設け、該ブラシ支持アーム５１により傾斜パイルブラシ５２を支持しているため、幅広のエアフィルタ１４に対しても、ブラシ支持アーム５１の長さをエアフィルタ１４の幅寸法に合わせて延長し、これで傾斜パイルブラシ５２を支持することにより容易に対応することができる。従って、シンプルな構成を維持したまま、エアフィルタ１４の寸法変更等にも簡易に対応することが可能な清掃効果の高いシンプルな構成のフィルタ清掃装置３０とすることができる。
【００７５】
また、移動手段３５は、キャビネット７の上面から前面にかけて設けられた空気吸い込み口１１に沿って上面から前面にかけて架設され、清掃ブラシ５０（傾斜パイルブラシ５２）をエアフィルタ１４の前面に沿い上面から前面にかけて往復動自在に駆動する構成とされている。このため、エアフィルタ１４が空気吸い込み口１１に沿って上面から前面にかけて屈曲または湾曲された構成のエアフィルタ１４とされていても、清掃ブラシ５０を常に直線上でエアフィルタ１４の前面と接触させることができる。従って、清掃ブラシ５０（傾斜パイルブラシ５２）をエアフィルタ１４の前面に対して安定的に接触させることができ、エアフィルタ１４で捕集された塵埃の除去、集塵効率を向上させ、エアフィルタの清掃効果を高めることができる。
【００７６】
移動手段３５は、空気吸い込み口１１に沿って設けられた複数のローラ３６およびガイド３７を介して架設され、複数のローラの１つを駆動ローラ３９として往復動自在に駆動される紐またはベルト等からなる無端帯３８により構成されている。このため、フィルタ清掃装置３０の移動手段３５を安定的に動作され、故障等も少ないローラ３６および無端帯３８を用いた、有り触れたシンプルな構造の移動手段３５によって構成することができる。従って、酷い油汚れ等に対応したエアフィルタ１４および清掃装置３０の取り外し洗浄や故障時の分解メンテナンス等を容易化することができる。
【００７７】
上記無端帯３８の一部に弛みおよび応力を吸収するスプリング４４をセットしているため、無端帯３８の経年変化等による多少の弛みや過大な抵抗が生じた際の応力をスプリング４４により吸収し、移動手段３５を常に正常に機能させることができる。従って、フィルタ清掃装置３０を長期にわたり安定して動作させることができ、その品質および信頼性を向上することができる。
【００７８】
さらに、本実施形態では、エアフィルタ１４で捕集された塵埃を除去、集塵する清掃ブラシ５０が、その移動開始点から集塵方向に移動される時、エアフィルタ１４の前面に接触して移動され、集塵方向の終端位置から移動開始点に戻るリターン時、エアフィルタ１４の前面から離間して移動される構成とされ、清掃ブラシ５０が塵埃を除去、集塵する方向に移動後、その位置から移動開始点に戻るリターン時、エアフィルタ１４の前面から離間して移動される。このため、エアフィルタ１４で捕集された塵埃は常に一方向のみに集塵され、清掃ブラシ５０のリターン時に塵埃がエアフィルタ１４上に戻って再付着されることはなく、清掃効果を高めることができるとともに、再付着による塵埃の特定箇所への蓄積等を防止し、分解メンテナンスの頻度を低減することができる。
【００７９】
清掃ブラシ５０は、ガイドレール３１に対してスライド可能に介装されるとともに、移動手段３５に連結されて往復動自在とされたブラシホルダー３２上に設けられ、このブラシホルダー３２が、ガイドレール３１および移動手段３５に対して、清掃ブラシ５０が集塵方向に移動時、清掃ブラシ３５をエアフィルタ１４の前面に接触させ、リターン時、清掃ブラシ５０をエアフィルタ１４の前面から離間するように回動可能に連結されているため、ブラシホルダー３２のガイドレール３１および移動手段３５に対する連結構成を工夫するだけで、複雑な機構を用いることなく簡易に集塵方向に移動する往動時に清掃ブラシ５０をエアフィルタ１４の面に接触させ、復動時に清掃ブラシ５０をエアフィルタ１４の面から離間させることができる。従って、清掃ブラシ５０の復動に伴う塵埃のエアフィルタ１４への再付着を防止できるのみならず、清掃ブラシ移動機構の構成を簡素にし、酷い油汚れ等に対応したエアフィルタ１４および清掃装置３０の取り外し洗浄や故障時の分解メンテナンス等を容易化することができる。
【００８０】
また、ブラシホルダー３２は、ガイドレール３１を跨ぐコの字断面形状を有し、その両側面３２Ａ，３２Ｂに設けられたガイド３３と、両側面３２Ａ，３２Ｂを繋ぐ中間面３２Ｃに設けられたガイドレール３１に押圧される板バネ（弾性部材）３４とでガイドレール３１を挟持するように介装され、板バネ３４とガイドレールとの接触点を支点に該支点から離れた位置に連結されている移動手段３５の牽引により回動可能とされているため、ブラシホルダー３２をガイドレール３１に対してガタがないようにスライド可能に介装することができるとともに、板バネ３４の押圧によるスライド抵抗を利用して板バネ３４とガイドレール３１との接触点を支点に、ブラシホルダー３２を移動手段３５の往復動時の牽引方向にそれぞれ回動させることができる。従って、簡単な機構で清掃ブラシ５０をエアフィルタ１４の前面に対して確実に接触または離間させることができる。
【００８１】
ブラシホルダー３２上に清掃ブラシ５０を支持するブラシ支持アーム５１の先端に舌片５１Ａを設け、この舌片５１Ａをエアフィルタ１４の幅方向の端部に沿ってキャビネット７内に設けられたブラシ押圧レール５４に係合させることにより、ブラシ支持アーム５１がエアフィルタ１４の幅方向に沿って長い場合でも、清掃ブラシ５０の先端側がエアフィルタ１４の前面から浮き上がり非接触状態となるのを防止しているため、幅広のエアフィルタ１４に対してもその前面に清掃ブラシ５０を全幅方向にわたり均一に接触させることができる。
【００８２】
また、ブラシ支持アーム５１に設けられた舌片５１Ａを、集塵方向への移動時、ブラシ押圧レール５４の裏面側に摺接させることにより、清掃ブラシ５０をエアフィルタ１４の前面に対して確実にかつ幅方向に均一に接触させることができ、リターン時には、舌片５１Ａをブラシ押圧レール５４の表面側に沿って移動させることにより、清掃ブラシ５０をエアフィルタ１４の前面から確実に離間させてリターンさせることができるため、フィルタの幅方向に沿って長くされた清掃ブラシ５０をエアフィルタ１４の前面に対して全長にわたり均一にかつ確実に接触または離間させることができる。
【００８３】
さらに、本実施形態においては、エアフィルタ１４で捕集された塵埃を除去、集塵する清掃ブラシ５０の集塵方向への移動終端位置に設けられている集塵部６０を、内部に清掃ブラシ５０が進入可能とされた集塵ボックス６１を有し、その集塵ボックス６１の入り口部の内側に、清掃ブラシ５０と接触し該清掃ブラシ５０が集塵ボックス６１内からリターンする時に、ブラシ面に付着されている塵埃を掻き取る離脱ブラシ６５が設けた構成としているため、清掃ブラシ５０の集塵ボックス６１内への進入によってエアフィルタ１４から除去、集塵した塵埃を清掃ブラシと共に集塵ボックス内に収集することができ、この塵埃を清掃ブラシが集塵ボックス内からリターンする時、離脱ブラシで掻き取ることにより塵埃のみを集塵ボックス内に回収することができる。従って、清掃ブラシ５０により集塵した塵埃を集塵ボックス６１内に確実に回収することが可能なシンプルでかつ信頼性の高い集塵機構および塵埃離脱機構を得ることができるとともに、酷い油汚れ等に対応したエアフィルタ１４および清掃装置３０の取り外し洗浄や故障時の分解メンテナンス等を容易化することができる。
【００８４】
上記離脱ブラシ６５を、清掃ブラシ５０がリターンする方向に対してパイルを逆目方向に傾斜した傾斜パイルブラシ６６により構成しているため、清掃ブラシ５０が集塵ボックス６１内に進入する時、傾斜パイルブラシ６６は清掃ブラシ５０に対して順目のためそのまま通し、清掃ブラシ５０がリターンする時、傾斜パイルブラシ６６は清掃ブラシ５０に対して逆目となることから清掃ブラシ面の塵埃を掻き取ることができる。従って、清掃ブラシ５０により集塵した塵埃のみを効率よくかつ確実に集塵ボックス６１内に回収することができ、塵埃の再飛散、再付着等を防止することができる。
【００８５】
集塵ボックス６１をエアフィルタ１４の端部に連接して設けているため、清掃ブラシ５０により集塵した塵埃をエアフィルタ１４の端部から直接集塵ボックス６１内に導入することができる。従って、清掃ブラシ５０により集塵した塵埃のエアフィルタ１４上から集塵ボックス６１内への収集過程での再飛散を防止し、確実に集塵ボックス６１内に回収することができる。
【００８６】
また、集塵ボックス６１の入り口部に、該入り口部を常に閉じる方向に付勢された蓋部材６２が回動可能に設けられ、この蓋部材６２の内側に離脱ブラシ６５が設けられているため、清掃ブラシ５０が集塵ボックス６１内に進入する際、蓋部材６２を閉方向に付勢する力に抗して押し開くように進入することとなり、その反力で離脱ブラシ６５は清掃ブラシ５０に接触され、清掃ブラシ５０がリターンする時もその動きに追随して清掃ブラシ５０から離れることなく接触される。従って、清掃ブラシ面の塵埃を離脱ブラシ６５によって確実に掻き取り、集塵ボックス６１内に回収することができる。
【００８７】
上記清掃ブラシ５０には、蓋部材６２と係合し該蓋部材６２を閉方向への付勢力に抗して押し開くガイド５１Ｂが設けられており、蓋部材６２が集塵ボックス６１の入り口部を閉じる方向に回動されていても、清掃ブラシ５０が集塵ボックス６１内に進入する際、ガイド５１Ｂが蓋部材６２と係合して蓋部材６２を押し開くことができるため、集塵ボックス６１は、常時入り口部を蓋部材６２によって閉じておくことができ、従って、収集した塵埃の再飛散を防ぐことができる。
【００８８】
また、上記ガイド５１Ｂは、清掃ブラシ５０に対して屈曲可能に設けられているため、清掃ブラシ５０が移動開始位置から終端位置に移動される間あるいは終端位置から移動開始位置に戻される間の移動経路中において、ガイド５１Ｂを他の部材と干渉しないように屈曲しておくことができる。これにより、清掃ブラシ５０の移動経路をガイド５１Ｂの軌跡を見越して大きくする必要がなくなり、従って、フィルタ清掃装置３０をコンパクト化することが可能となる。
【００８９】
さらに、集塵ボックス６１には、集塵ボックス６１内に集塵された塵埃を掃除機等により吸い取り可能な開口６７および／または塵埃を取り出し可能な開閉蓋６９が設けられているため、集塵ボックス６１内にある程度の量の塵埃が蓄積された段階で、掃除機等を用いて開口６７から吸い取る、あるいは開閉蓋６９を開いてハンドブラシ等で掻き出す等の方法で塵埃を処理することができる。従って、集塵ボックス６１に収集された塵埃を、集塵ボックス６１を取り外すことなく簡便に処置することができる。
【００９０】
また、上記の開口６７および／または開閉蓋６９がキャビネット７内の外面側に面した位置に設けられているため、キャビネット７の一部を構成する、例えば吸い込みパネル１０を開く等により集塵ボックス６１の外面側に面した位置に設けられている開口６７および／または開閉蓋６９を外面側に露出させることができる。従って、開口６７および／または開閉蓋６９に対して容易にアクセスすることができ、集塵ボックス６１に収集された塵埃を簡便に処理することができる。
【００９１】
集塵部６０は、移動手段３５の集塵方向への終端位置となるキャビネット７の前面側の空気吸い込み口１１の下部に設けられているため、集塵部６０に収集され、蓄積された塵埃を処理する際、キャビネット７の前面側からアクセスすることができる。従って、集塵ボックス６１に収集された塵埃の処理作業を容易にかつ効率よく行うことができる。
【００９２】
さらに、上記清掃ブラシ５０、移動手段３５および集塵部６０を含むフィルタ清掃装置３０の全ての機構がキャビネット７を構成する前面パネル９に設けられているため、酷い油汚れ等に対応したエアフィルタ１４および清掃装置３０の取り外し洗浄や故障時のメンテナンス等に際して、前面パネル９を取り外すことによりフィルタ清掃装置３０の全てを空気調和機１（室内機３）本体から簡単に取り外すことができる。従って、フィルタ清掃装置３０の大掛かりな洗浄や分解メンテナンス等も容易となり、取り扱い性、サービス性を格段に向上させることができる。また、構成がシンプルなため、フィルタ自動清掃機能付きであっても、油汚れ等に対応したエアフィルタ１４および清掃装置３０の取り外し洗浄や故障時の分解メンテナンス等をストレスなく実施することが可能となる。
【００９３】
［第２実施形態］
次に、本発明の第２実施形態について、図１２ないし図１５を用いて説明する。
本実施形態は、上記した第１実施形態に対して、集塵部６０の構成が部分的に異なっている。その他の点については、第１実施形態と同様であるので説明は省略する。
図１２に示す実施形態は、集塵部６０を構成する集塵ボックス６１の入り口部に、蓋部材６２側に回動されるようにバネ（図示省略）で付勢された補助蓋部材７０を設け、集塵ボックス６１の入り口部を蓋部材６２と補助蓋部材７０とにより完全に閉鎖できる構成とされている。
【００９４】
このように、集塵ボックス６１の入り口部に、蓋部材６２と共同して入り口部を閉鎖する補助蓋部材７０を設けることにより、清掃ブラシ５０を進入させる必要上、１つの蓋部材６２のみで集塵ボックス６１の入り口部を完全に閉鎖ではない場合でも、蓋部材６２と補助蓋部材７０との共同作用で集塵ボックス６１の入り口部を完全に閉鎖することが可能となる。このため、集塵ボックス６１は、常に入り口部を閉鎖しておくことができるようになり、収集した塵埃の再飛散を確実に防ぐことができる。
【００９５】
また、図１３に示された実施形態では、集塵ボックス６１Ａが、吸い込みパネル１０と一体的に設けられた構成とされている。このように、集塵ボックス６１Ａを、キャビネット７の一部を構成する吸い込みパネル１０と一体化された構成とすることにより、集塵ボックス６１Ａを吸い込みパネル１０と一体で組み立てることができる。また、分解メンテナンスする際にも両者を同時に取り外すことができる。従って、組み立てを容易化することができると同時に、分解する時に部品がバラけることがなく、取り扱いを容易化することができる。
【００９６】
さらに、図１４に示された実施形態では、集塵ボックス６１Ｂが、吸い込みパネル１０Ａの一部を利用して形成された構成とされている。このように、吸い込みパネル１０Ａの一部を兼用して集塵ボックス６１Ｂを構成することにより、兼用されたパネル相当分だけ集塵ボックス６１Ｂの構成材料を削減することができる。従って、フィルタ清掃装置３０をその分だけ軽量化することができるとともに、材料費を低減しコストダウンすることができる。
【００９７】
また、図１３および図１４に示されるように、吸い込みパネル１０，１０Ａ側に集塵ボックス６１Ａ，６１Ｂを設けた場合、集塵ボックス６１Ａ，６１Ｂに収集された塵埃を処理する開口を、吸い込みパネル１０，１０Ａの表面（前面）側に設けることは美観上好ましくない。そこで、図１５（Ａ）に示されるように、集塵ボックス６１Ａ，６１Ｂの底面側に小面積の開口７１を複数個設けるか、または図１５（Ｂ）に示されるように、集塵ボックス６１Ａ，６１Ｂの側面側に少し大きめの開口７２を設け、この開口７２と連通する開口７３を吸い込みパネル１０，１０Ａ側の底面に設けた構成とし、それぞれ掃除機で吸い取り可能とすればよい。
【００９８】
このような構成によれば、塵埃を処理するとき、吸い込みパネル１０，１０Ａを開いて開口７１，７３を表面に露出させ、開口７１，７３に掃除機の吸引口６８を当て吸い取ることにより、集塵ボックス６１Ａ，６１Ｂに収集された塵埃を処理することができる。一方、塵埃を処理後は、吸い込みパネル１０，１０Ａを閉じることによって、前面パネル９で開口７１，７３を閉鎖することができるため、塵埃の飛散を防止することができるとともに、開口７１，７３のパネル表面への露出を回避し、美観を維持することができる。
【００９９】
［第３実施形態］
次に、本発明の第３実施形態について、図１６を用いて説明する。
本実施形態は、上記した第１実施形態に対して、清掃ブラシ５０を構成する傾斜パイルブラシ５２の支持形態が異なっている。その他の点については、第１実施形態と同様であるので説明は省略する。
本実施形態では、図１６（Ａ），（Ｂ），（Ｃ）に示されるように、ブラシ支持アーム５１に支持されている傾斜パイルブラシ５２の自由端５２Ａ側の撓みをコントロールする可撓性を有する規制部材５５，５６，５７を設けた構成とされている。
【０１００】
傾斜パイルブラシ５２は、既述の通り可撓性を有しており、上流端側はブラシ支持アーム５１に接着されて支持されているが、下流端側は自由端５２Ａとされ、エアフィルタ１４の凹凸面に微妙にフィット、追随される構成とされている。この傾斜パイルブラシ５２による清掃効果は、自由端５２Ａをエアフィルタ１４の凹凸面に対して如何に微妙にフィット、追随させるかに左右される。そこで、図１６（Ａ）に示された実施形態では、ブラシ支持アーム５２に、下流側に延長する薄板状の規制部材５５を一体成形（例えば、ＰＰ材による一体成形）し、その根元部に切り込み部（ヒンジ部）５５Ａを設けて可撓性を与えることにより、自由端５２Ａの撓みをコントロールできるようにしている。
【０１０１】
また、図１６（Ｂ）に示された実施形態では、傾斜パイルブラシ５２の裏面に可撓性を有する薄板状の規制部材５６を張り合わせることにより、自由端５２Ａの撓みをコントロールできるようにしている。さらに、図１６（Ｃ）に示された実施形態では、ブラシ支持アーム５１に、傾斜パイルブラシ５２の裏面と微小隙間を保って可撓性を有する薄板状の規制部材５７を取り付けることにより、自由端５２Ａの撓みをコントロールできるようにしている。
【０１０２】
上記の如く、規制部材５５，５６，５７を設けることによって、傾斜パイルブラシ５２の自由端５２Ａ側の撓みをコントロールし、傾斜パイルブラシ５２の自由端５２Ａ側をエアフィルタ１４の前面に適度な力で圧接させることが可能となる。このため、エアフィルタ１４の前面の凹凸に対して傾斜パイルブラシ５２の自由端５２Ａ側をより確実にかつ微妙にフィット、追随させ、塵埃を効率よくかつ確実に除去、集塵することができる。従って、エアフィルタ１４で捕集した塵埃の除去、集塵効率を向上させ、エアフィルタの清掃効果を高めることができる。
【０１０３】
［第４実施形態］
次に、本発明の第４実施形態について、図１７を用いて説明する。
本実施形態は、上記した第１実施形態に対して、清掃ブラシ５０をブラシホルダー３２に着脱自在に設けている点が異なる。その他の点については、第１実施形態と同様であるので説明は省略する。
本実施形態では、図１７に示されるように、ブラシホルダー３２とブラシ支持アーム５１とを別部品として分離し、ブラシホルダー３２側の両側面３２Ａ，３２Ｂに、それぞれ複数のアーム取り付け穴３２Ｄと係止部３２Ｅとを一体に設け、相手方のブラシ支持アーム５１の基端側にアーム取り付け穴３２Ｄに嵌合される複数のピン軸５１Ｃと係止部３２Ｅに係止される爪部５１Ｄとを設けることにより、ブラシ支持アーム５１をブラシホルダー３２に対して着脱可能な構成としている。
【０１０４】
上記のように、ブラシ支持アーム５１をブラシホルダー３２に対して着脱自在に設けることによって、ブラシ支持アーム５１をブラシホルダーから簡単に取り外すことが可能となる。つまり、手前側に設けられている爪部５１Ｄを係止部３２Ｅから離脱させ、ピン軸５１Ｃをアーム取り付け穴３２Ｄから抜くことによりブラシ支持アーム５１を取り外すことができる。このため、清掃ブラシ５０（傾斜パイルブラシ５２）およびエアフィルタ１４をそれぞれ単体で簡単にキャビネット７から取り出すことができる。従って、酷い油汚れ等に対応したエアフィルタ１４および清掃装置３０の取り外し洗浄や故障時の分解メンテナンスあるいは清掃ブラシ５０（傾斜パイルブラシ５２）の交換等を容易化することができる。
【０１０５】
［第５実施形態］
次に、本発明の第５実施形態について、図１８を用いて説明する。
本実施形態は、上記した第１実施形態に対して、ブラシ押圧レール５４を複数のレール部材に分割した構成としている点が異なる。その他の点については、第１実施形態と同様であるので説明は省略する。
本実施形態では、図１８に示されるように、ブラシ押圧レール５４を長さ方向に沿って２つのレール部材５４Ｂ，５４Ｃに分割し、一方のレール部材５４Ｂを前面パネル９側に設け、他方のレール部材５４Ｃを吸い込みパネル１０側に設けた構成としている。これによって、吸い込みパネル１０を開いたときに、図１８（Ｂ）に示されるように、ブラシ押圧レール５４が切り離されるようにしている。
【０１０６】
また、２つのレール部材５４Ｂ，５４Ｃの分割面５４Ｄを、図１８（Ｃ）に示されるように、斜めのカット面とし、２つのレール部材５４Ｂ，５４Ｃが接続されたときに多少のズレが生じても、レールの裏面および表面に沿って往動方向Ｘおよび復動方向Ｙに移動するブラシ支持アーム５１先端の舌片５１Ａが引っ掛からないようにしている。
【０１０７】
上記のように、ブラシ押圧レール５４をレール部材５４Ｂ，５４Ｃに分割し、一方を前面パネル９側に設け、他方を吸い込みパネル１０側に設けた構成とすることにより、吸い込みパネル１０を開いてエアフィルタ１４あるいは清掃ブラシ５０等を取り外す際、レール部材５４Ｃが吸い込みパネル１０と共に開かれているため、エアフィルタ１４あるいは清掃ブラシ５０等の取り出しを容易化することができる。
【０１０８】
［第６実施形態］
次に、本発明の第６実施形態について、図１９ないし図２３を用いて説明する。
本実施形態は、上記した第１実施形態に対して、ガイドレール３１およびブラシホルダー３２の構成が部分的に異なっている。その他の点については、第１実施形態と同様であるので説明は省略する。
本実施形態では、ブラシホルダー３２の両側面３２Ａ，３２Ｂの後端側に、内面側に突出された一対の規制ガイド３２Ｆ，３２Ｇを一体に設け、この規制ガイド３２Ｆ，３２Ｇをガイドレール３１のレール部３１Ａの裏面側および表面側に摺接させ、ブラシホルダー３２をガイドレール３１に沿って往復動させる構成としている。
【０１０９】
また、ブラシホルダー３２を上記のように往復動させるために、ガイドレール３１のレール部３１Ａ側に、ブラシホルダー３２の移動開始点側の端部に対応して、一対の規制ガイド３２Ｆ，３２Ｇをレール部３１Ａの裏面側に導く切欠き部３１Ｄ，３１Ｅを設けるとともに、ブラシホルダー３２の移動終端位置側の近傍に対応して、一対の規制ガイド３２Ｆ，３２Ｄをレール部３１Ａの表面側に導く切欠き部３１Ｆ，３１Ｇを設けた構成としている。
【０１１０】
上記の構成によると、ブラシホルダー３２に設けられている清掃ブラシ５０（傾斜パイルブラシ５２）がエアフィルタ１４により捕集された塵埃を集塵する往動方向Ｘへの移動時、図２１（Ｃ）に示されるように、規制ガイド３２Ｆ，３２Ｇをガイドレール３１のレール部３１Ａの裏面側に摺接させ、ブラシホルダー３２を無端帯３８による矢印Ｓ方向への牽引力で清掃ブラシ５０がエアフィルタ１４の前面に接触される位置に保持して移動させることができる。
【０１１１】
また、移動終端位置から移動開始点にリターンする復動方向Ｙへの移動時、まず、ブラシホルダー３２を無端帯３８により矢印Ｔ方向に牽引してブラシホルダー３２を矢印Ｌ方向（図５（Ｃ）参照）に回動させ、規制ガイド３２Ｆ，３２Ｇを、図２１（Ｃ）中に示される矢印Ｕの如く、レール部３１Ａに設けられている切欠き部３１Ｆ，３１Ｇを介してレール部３１Ａの表面側へと導き、その後、図２１（Ｂ）に示されるように、規制ガイド３２Ｆ，３２Ｇをレール部３１Ａの表面側に摺接させ、ブラシホルダー３２を清掃ブラシ５０がエアフィルタ１４の前面から離間される位置に保持し、移動開始点へと移動させることができる。
【０１１２】
そして、ブラシホルダー３２が移動開始点までリターンされると、無端帯３８による矢印Ｔ方向への牽引力が解除されるため、ブラシホルダー３２が矢印Ｒ方向（図５（Ｂ）参照）に回動され、これに伴い規制ガイド３２Ｆ，３２Ｇは、図２１（Ｂ）中に示される矢印Ｖの如く、切欠き部３１Ｄ，３１Ｅを介してレール部３１Ａの裏面側へと導かれ、待機状態とされる。
【０１１３】
これにより、ガイドレール３１に設けられている切欠き部３１Ｄ，３１Ｅおよび部３１Ｆ，３１Ｇを介して規制ガイド３２Ｆ，３２Ｇが、レール部３１Ａの裏面または表面に摺接されるように簡単に切り替えることができ、清掃ブラシ５０（傾斜パイルブラシ５２）をエアフィルタ１４の前面に接触される位置とエアフィルタ１４の前面から離間される位置とに強制保持することができる。このため、移動手段３５の弛みや過大な抵抗あるいは振動等による影響を排除し、清掃ブラシ５０をエアフィルタ１４の前面に対してより確実に接触または離間させることが可能となる。
【０１１４】
なお、上記実施形態では、規制ガイド３２Ｆ，３２Ｇを、ブラシホルダー３２に一体成形した構成としているが、図２２に示されるように、別部品の規制ガイド３２Ｈをブラシホルダー３２に固定した構成としてもよい。また、切欠き部３１Ｄ，３１Ｅを設けることにより切欠かかれたレール部３１Ａの端部を、図２３に示されるように、寸法Ｋだけ上方に傾斜させ、規制ガイド３２Ｆ，３２Ｇおよび規制ガイド３２Ｈがレール部３１Ａの裏面側に導かれ易い構成としてよい。
【０１１５】
［第７実施形態］
次に、本発明の第７実施形態について、図２４を用いて説明する。
本実施形態は、上記した第１実施形態および／または第６実施形態に対して、舌片５１Ａおよび／または規制ガイド３２Ｆ，３２Ｇ，３２Ｈを、ブラシ押圧レール５４および／またはガイドレール３１の裏面側に押し込む押え部材を設けた構成としている点が異なっている。その他の点については、第１実施形態および／または第６実施形態と同様であるので説明は省略する。
【０１１６】
本実施形態では、ブラシ押圧レール５４および／またはガイドレール３１の移動開始点側の端部と対向する位置に、舌片５１Ａおよび／または規制ガイド３２Ｆ，３２Ｇ，３２Ｈと接触し、これらの舌片５１Ａおよび／または規制ガイド３２Ｆ，３２Ｇ，３２Ｈをブラシ押圧レール５４および／またはレール部３１Ａの裏面側に押し込むための押え部材８０を、バネ８１を介して支持軸８２の周りに回動可能に設けた構成としている。なお、押え部材８０は、ブラシ押圧レール５４およびガイドレール３１のいずれに対応して設けてもよいことはもちろんである。
【０１１７】
このように、舌片５１Ａおよび／または規制ガイド３２Ｆ，３２Ｇ，３２Ｈと接触し、これらをバネ８１の力を利用してブラシ押圧レール５４および／またはレール部３１Ａの裏面側に強制的に押し込む押え部材８０を設けることにより、復動時にブラシ支持アーム５１の舌片５１Ａおよび／またはブラシホルダー３２の規制ガイド３２Ｆ，３２Ｇ，３２Ｈが浮いた状態になっていたとしても、舌片５１Ａおよび／または規制ガイド３２Ｆ，３２Ｇ，３２Ｈを押え部材８０により強制的にガイドレールの裏面側へと押し込むことができる。
【０１１８】
従って、舌片５１Ａおよび／または規制ガイド３２Ｆ，３２Ｇ，３２Ｈをブラシ押圧レール５４および／またはガイドレール３１の移動開始点側の端部で強制的にブラシ押圧レール５４および／またはレール部３１Ａの裏面側に導き、清掃ブラシ５０（傾斜パイルブラシ５２）がエアフィルタ１４の前面に対して全長にわたり均一にかつ確実に接触される状態とすることができる。
【０１１９】
なお、本発明は、上記実施形態にかかる発明に限定されるものではなく、その要旨を逸脱しない範囲において、適宜変形が可能である。例えば、上記実施形態では、壁掛け形の空気調和機１に適用した例について説明したが、エアフィルタを備えている他の形式の空気調和機にも適用できることはもちろんであり、特に、天井埋め込み形の空気調和機あるいは天井吊り下げ形の空気調和機等の高い位置に設置される空気調和機に好適に適用することができる。
【図面の簡単な説明】
【０１２０】
【図１】本発明の第１実施形態に係る空気調和機の斜視図である。
【図２】図１に示す空気調和機の室内機の縦断面図である。
【図３】図１に示す空気調和機のフィルタ清掃装置の斜視図（Ａ）とその清掃ブラシの先端部の拡大図（Ｂ）および図（Ａ）中のａ−ａ断面相当図（Ｃ）である。
【図４】図３に示すフィルタ清掃装置のブラシホルダー部分の拡大斜視図である。
【図５】図４中のｂ−ｂ断面相当図（Ａ）と図（Ａ）中のｃ−ｃ断面相当図（Ｂ）および（Ｃ）である。
【図６】図３に示すフィルタ清掃装置の清掃ブラシ移動時の側面図（Ａ），（Ｂ）と清掃ブラシの断面図（Ｃ）およびその一部分の斜視図（Ｄ）である。
【図７】図３に示すフィルタ清掃装置の移動手段の側面図（Ａ）とその無端帯の連結部の構造図（Ｂ）および駆動部の斜視図（Ｃ）と正面図（Ｄ）である。
【図８】図３に示すフィルタ清掃装置の集塵部の斜視図である。
【図９】図８中のｄ−ｄ断面相当図で、清掃ブラシが集塵ボックス内に進入時の状態図（Ａ）と進入後の状態図（Ｂ）ならびにリターン時の状態図（Ｃ）である。
【図１０】図８に示す集塵部で収集した塵埃の処理状態を示す斜視図である。
【図１１】図８に示す集塵部で収集した塵埃の処理状態を示す別形態例の斜視図である。
【図１２】本発明の第２実施形態に係る集塵ボックスの第１例の縦断面図である。
【図１３】本発明の第２実施形態に係る集塵ボックスの第２例の縦断面図である。
【図１４】本発明の第２実施形態に係る集塵ボックスの第３例の縦断面図である。
【図１５】本発明の第２実施形態に係る集塵ボックスで収集した塵埃の処理状態を示す第１形態例と第２形態例の斜視図（Ａ）および（Ｂ）である。
【図１６】本発明の第３実施形態に係る傾斜パイルブラシ（清掃ブラシ）の３の異なる形態例の側面図（Ａ），（Ｂ），（Ｃ）である。
【図１７】本発明の第４実施形態に係る清掃ブラシの分解斜視図である。
【図１８】本発明の第５実施形態に係るブラシ押圧レールの斜視図（Ａ）とその切り離し状態の斜視図（Ｂ）および分割面を接合した状態の斜視図（Ｃ）である。
【図１９】本発明の第６実施形態に係るフィルタ清掃装置のブラシホルダーおよびガイドレール部分の斜視図である。
【図２０】図１９に示すガイドレールの他端側の斜視図である。
【図２１】図１９中のｅ−ｅ断面相当図（Ａ）と、図（Ａ）中のｆ−ｆ断面相当図（Ｂ）および（Ｃ）である。
【図２２】本発明の第６実施形態に係るブラシホルダーの変形例の斜視図である。
【図２３】本発明の第６実施形態に係るガイドレールの変形例の斜視図である。
【図２４】本発明の第７実施形態に係る舌片および／または規制ガイドの押え部材に側面図である。
【符号の説明】
【０１２１】
１  空気調和機
３  室内機
７  キャビネット
１１  空気吸い込み口
１２  空気吹き出し口
１３  空気流路
１４  エアフィルタ
１５  室内熱交換器
１６  室内ファン（送風ファン）
３０  フィルタ清掃装置
３２  ブラシホルダー
３２Ｄ  アーム取り付け穴
３２Ｅ  係止部
３５  移動手段
３６  ローラ
３７  ガイド
３８  無端帯
３９  駆動ローラ
５０  清掃ブラシ
５１  ブラシ支持アーム
５１Ｃ  ピン軸
５１Ｄ  爪部
５２  傾斜パイルブラシ
５２Ａ  自由端
５３  錘
５５，５６，５７  規制部材
Θ  傾斜角度
Ｘ  往動方向（集塵方向）
Ｙ  復動方向
【図１】
2010032170.tif 000003
【図２】
2010032170.tif 000004
【図３】
2010032170.tif 000005
【図４】
2010032170.tif 000006
【図５】
2010032170.tif 000007
【図６】
2010032170.tif 000008
【図７】
2010032170.tif 000009
【図８】
2010032170.tif 000010
【図９】
2010032170.tif 000011
【図１０】
2010032170.tif 000012
【図１１】
2010032170.tif 000013
【図１２】
2010032170.tif 000014
【図１３】
2010032170.tif 000015
【図１４】
2010032170.tif 000016
【図１５】
2010032170.tif 000017
【図１６】
2010032170.tif 000018
【図１７】
2010032170.tif 000019
【図１８】
2010032170.tif 000020
【図１９】
2010032170.tif 000021
【図２０】
2010032170.tif 000022
【図２１】
2010032170.tif 000023
【図２２】
2010032170.tif 000024
【図２３】
2010032170.tif 000025
【図２４】
2010032170.tif 000026